(57)【特許請求の範囲】
【請求項１】
赤外線の受信手段と送信手段を備え、この赤外線を介して制御信号の送受信を行う複数の照明器具を隣接配置して構成された照明システムにおいて、
該複数の照明器具は、予め送信順序を示す送信番号が付されるとともに、制御開始手段を有する照明器具Ａと制御開始手段を有していない照明器具Ｂに分けられ、
該照明器具Ａは、該制御開始手段から出力があった時、調光制御をスタートし、調光度情報と自身の送信番号と第１、第２の異なる送信順番情報からそれぞれ第１、第２の信号を生成し、これら二つの信号を制御信号として自身の送信手段に出力し、自身の送信番号と受信した制御信号内の送信番号と送信順番情報に基づいて他の照明器具Ａまたは前記照明器具Ｂへ送信する送信時間帯を算出し、
前記照明器具Ｂは、前記照明器具Ａまたは他の照明器具Ｂから送信された制御信号を受信した時、受信した制御信号内の送信番号を自身の送信番号に置き換えたものを新たな制御信号として自身の送信手段に出力し、自身の送信番号と受信した制御信号内の送信番号と送信順番情報から新たな制御信号を送出するまでの送信時間帯を算出し、この送信時間帯に基づいて送出するとともに、受信した制御信号内の調光度情報に基づいて調光制御するように構成されたことを特徴とする照明システム。
【請求項２】
前記第１、第２の送信順番情報は、それぞれ前記送信番号が増加する順番情報と前記送信番号が減少する順番情報であることを特徴とする請求項１記載の照明システム。
【発明の詳細な説明】
【０００１】
【発明の属する技術分野】
本発明は、照明システムに係り、特に赤外線信号を用いて複数の照明器具を制御する照明システムに関するものである。
【０００２】
【従来の技術】
複数の照明器具を一括して制御する照明システムとして様々な技術が知られている。
例えば特開平１１−７３８１４号公報にはセンサ付き蛍光灯器具を用いて蛍光灯器具を連動する照明システムが提案されている。図１２はこの公報に開示されている従来の照明システムの概略配置図である。
図において１０は廊下などの通路であり、この天井には蛍光灯器具３１〜３６が一列に配置されている。３７、３９はそれぞれ蛍光灯器具３１、３６の近傍に設置された照明コントローラＡ、Ｂである。
照明コントローラＡ３７、Ｂ３９の内部にはそれぞれ人感センサＡ３８、Ｂ４０が搭載されている。
人感センサＡ３８、Ｂ４０は、検知エリア内に侵入した人体を検出するものであり、例えば所定の視野角を有する焦電型赤外線センサなどから構成されている。また、４１は照明コントローラＡ３７、Ｂ３９および蛍光灯器具３１〜３６を結ぶ信号線である。
【０００３】
２つの照明コントローラＡ３７、Ｂ３９は、それぞれ通路１０の出入口付近の天井に設置されている。そして人が通路１０を通過する時のみ、蛍光灯器具３１〜３６を点灯させ、人が通路１０に存在しない時には蛍光灯器具３１〜３６を消灯、もしくは減光（調光）して省エネを実現する。
【０００４】
図１３は、図１２に示した照明システムを水平方向から見た運用を示す模式図である。
図１２と同一もしくは相当部分には同じ符号を付して説明を省略する。
図１３において１７は天井面、１８は床面、１９、２０はそれぞれ人感センサＡ３８、Ｂ４０による検知エリアである。検知エリア１９、２０は、それぞれ人感センサＡ３８、Ｂ４０を頂点として円錐状に床面１８へ広がっている。２１は検知エリア１９内を通過する人で、通路１０を蛍光灯器具３１の下方から蛍光灯器具３６の方向へ移動するものとする。
【０００５】
図１４は図１２もしくは１３に示した照明システムの回路ブロック図である。信号の流れのみを図示するために、蛍光灯器具の一部と電力配線は省略してある。
図において４２、４３はそれぞれ人感センサＡ３８、Ｂ４０の検出信号によってスタートするタイマであり、タイマ４２、４３のＯＮ／ＯＦＦに対応した信号（以下、動作信号と称す）はともに信号線４１を介して送信される。
【０００６】
図１３、１４をもとに人感センサＡ３８が人２１を検出した場合の照明システムの動作について説明する。
人感センサＡ３８の検出信号によりタイマ４２が動作し、タイマ４２からは信号線４１を介して蛍光灯器具３１〜３６へＯＮの動作信号が送信される。
同時に予め設定された１〜５分程度の時間の計数がスタートする。
蛍光灯器具３１は制御回路４４、インバータ４５、蛍光ランプ２などから構成されており、制御回路４４には信号線４１が接続されている。制御回路４４はタイマ４２、４３のどちらか一方からＯＮの動作信号が送信されてきたら、インバータ４５を発振するように設定されている。
【０００７】
したがってタイマ４２からのＯＮの動作信号によりインバータ４５が発振し、この発振によって蛍光灯器具３１の蛍光灯２に高周波電力が供給されて点灯する。この動作は蛍光灯器具３２〜３６についても同じであり、結果として全ての蛍光灯２が点灯する。そしてタイマ４２の計数が終了（タイムアップ）すると、タイマ４２からの動作信号はＯＦＦとなり、蛍光灯器具３１〜３６内の蛍光ランプ２は消灯または調光する。
この一連の動作は人感センサ４０が人２１を検出した場合も同じである。
【０００８】
【発明が解決しようとする課題】
しかしながら、図１２〜１４に示した従来の照明システムでは、照明コントローラＡ３７またはＢ３９によって複数の蛍光灯器具３１〜３６を制御するようにしているため、照明コントローラＡ３７またはＢ３９と蛍光灯器具３１〜３６を信号線４１で接続する必要があり、施工にコストがかかり、既存の蛍光灯器具の変更に手間がかかるという課題があった。
また、赤外線信号を用いて蛍光灯器具を連動するように構成した場合、複数の蛍光灯器具が同時に赤外線信号を受信すると、受信した全ての蛍光灯器具から赤外線信号が送信され、赤外線信号の衝突により制御信号の伝送ができないという課題があった。
【０００９】
本発明は係る課題を解決するためになされたものであり、各照明器具への信号線の配線作業を不要とし、赤外線の衝突を防止できる照明システムを提供することを目的とする。
【００１０】
【課題を解決するための手段】
本発明に係る照明システムは、赤外線の受信手段と送信手段を備え、この赤外線を介して制御信号の送受信を行う複数の照明器具を隣接配置して構成された照明システムにおいて、複数の照明器具は、予め送信順序を示す送信番号が付されるとともに、制御開始手段を有する照明器具Ａと制御開始手段を有していない照明器具Ｂに分けられ、照明器具Ａは、制御開始手段から出力があった時、調光制御をスタートし、調光度情報と自身の送信番号と第１、第２の異なる送信順番情報からそれぞれ第１、第２の信号を生成し、これら二つの信号を制御信号として自身の送信手段に出力し、自身の送信番号と受信した制御信号内の送信番号と送信順番情報に基づいて他の照明器具Ａまたは前記照明器具Ｂへ送信する送信時間帯を算出し、照明器具Ｂは、照明器具Ａまたは他の照明器具Ｂから送信された制御信号を受信した時、受信した制御信号内の送信番号を自身の送信番号に置き換えたものを新たな制御信号として自身の送信手段に出力し、自身の送信番号と受信した制御信号内の送信番号と送信順番情報から新たな制御信号を送出するまでの送信時間帯を算出し、この送信時間帯に基づいて送出するとともに、受信した制御信号内の調光度情報に基づいて調光制御するように構成されたものである。
【００１１】
また、第１、第２の送信順番情報は、それぞれ送信順番の増加する順番情報と送信番号が減少する順番情報であるように構成したものである。
【００１２】
【発明の実施の形態】
実施の形態１．
図１は本発明の実施の形態を示す照明システムの構成を示す模式図であり、下方から見た図である。
本実施の形態は、通路等の人が常駐しない場所に設置され、人が存在しない場合には照明器具である蛍光灯器具の蛍光ランプを減光もしくは、調光することで消費電力を抑え、省エネを実現するものである。
従来例と同一もしくは相当部分には同じ符号を付して説明を省略する。
【００１３】
図１において１１、１６はそれぞれ通路１０の出入口付近に設置され、制御開始手段である人感センサ７を備えた蛍光灯器具Ａである。また、１２〜１５は出口と入口の間に設置され、人感センサ７を備えていない蛍光灯器具Ｂである。５、６はそれぞれ赤外線受信器、赤外線送信器である。
このように本実施の形態では２種類の蛍光灯器具があり、その違いは人感センサ７の有無にある。
図２、３はそれぞれ蛍光灯器具Ａ、蛍光灯器具Ｂの平面図を示したものである。
【００１４】
図２において１は蛍光灯器具本体（以下蛍光灯器具と称す）、３は蛍光灯器具１に取り付けられた反射板、４ａは点灯装置であり、反射板３の内側に取付けられる。また反射板３には、点灯装置４ａに取付けられた赤外線受信器５及び赤外線送信器６が反射板３から突出するような開口部が設けてある。人感センサ７は赤外線受信器５及び赤外線送信器６と同様に点灯装置４ａに搭載されている。
また、図３は図２と比べると、人感センサ７が搭載されていない点を除けばほぼ一致している。図において４ｂは点灯装置である。
【００１５】
また、図４は蛍光灯器具Ａの回路ブロック図である。
図において８ａは人感センサ７の検出信号をもとに動作するタイマ８０を内蔵している制御部である。
制御部８ａは、搬送波（３８ｋＨｚ）でパルス変調された赤外線を受信して電気信号に変換する赤外線受信器５と、電気信号を搬送波でパルス変調された赤外線に変換する赤外線送信器６と、人感センサ７と、インバータ９とに接続されている。そして赤外線受信器５によって受信した赤外線信号を解読し、調光信号としてインバータ９へ送り、インバータ９によって蛍光ランプ２を調光するとともに、赤外線受信器５によって受信した赤外線信号の一部を変更し、中継用の赤外線信号として赤外線送信器６へ出力する。
【００１６】
また、図５は蛍光灯器具Ｂの回路ブロック図である。
図において８ｂは制御部である。制御部８ｂは赤外線受信器５と、赤外線送信器６と、インバータ９とに接続されている。そして赤外線受信器５によって受信した赤外線信号を解読し、調光信号としてインバータ９に送り、赤外線受信器５によって受信した赤外線信号の一部を変更し、中継用の赤外線信号として赤外線送信器６に出力する。
なお、蛍光灯器具間の調光信号などの制御信号は、前述のパルス変調した搬送波を更にデータコードで２次変調したものである。
【００１７】
また、図６は本発明に係る照明システムを水平方向から見た運用を示す模式図である。
図において蛍光灯器具Ａ１１、１６はそれぞれ通路１０の出口、入口（もしくは入口、出口）に設置されており、通路１０を通過する人２１が蛍光灯器具Ａ１１側から進入した場合を示している。
２２〜２７はそれぞれ床面１８で反射され、進入方向に沿って隣接する蛍光灯器具へ順次送信される赤外線信号を示したものである。より詳しくは、赤外線信号２２は蛍光灯器具１１から１２へ、赤外線信号２３は蛍光灯器具１２から１３へ、赤外線信号２４は蛍光灯器具１３から１４へ、赤外線信号２５は蛍光灯器具１４から１５へ、赤外線信号２６は蛍光灯器具１５から１６へ、赤外線信号２７は蛍光灯器具１６から隣接する蛍光灯器具へと送信されている。
なお、図示していないが、蛍光ランプの調光度は人２１を検出する前後で５％から１００％に切り替わるように設定されている。
【００１８】
また、図７は赤外線信号の構成を示したものである。
図において（１）は１フレームの赤外線信号、（２）はフレーム内の赤外線信号の構成、（３）はデータ部の構成、（４）、（５）はそれぞれパルス変調された赤外線信号と最終的な赤外線信号である。
【００１９】
赤外線信号の１フレームは（２）に示すように、データ部と、データ部の最初と最後を区別するためのリーダ部、トレーラ部から構成されている。
また、データ部は（３）に示すように赤外線信号のＩＤ（メーカー、機種など赤外線を使用する装置または機器の固有信号）である固定コード、調光度、各蛍光灯器具に割り付けられた赤外線信号の送信順序を示す送信番号、２つの送信順序を選択する送信順番、エラー検出のために用いられるパリティコードから構成されている。
【００２０】
さらに上述のように赤外線信号はパルス変調されているため、（４）に示すようなパルス列となり、例えばリーダ部は８Ｔ時間の“１”と４Ｔ時間の“０”で構成される。ここでＴは基本パルス幅を示し、例えば０．４ｍｓに設定する。同様に信号０ではＴ時間の“１”とＴ時間の“０”、信号１ではＴ時間の“１”と３Ｔ時間の“０”、トレーラ部はＴ時間の“１”（ストップビットと称される）１０Ｔ時間の“０”から各々構成される。（５）は最終的な赤外線信号を示すもので、（４）で示す“１”の期間は３８ｋＨｚでパルス変調された赤外線が出力され、“０”の期間では赤外線は出力されない。
【００２１】
なお、送信番号情報は、蛍光灯器具Ａ１１、１６及び蛍光灯器具Ｂ１２〜１５の各々から発信される赤外線が衝突しないように送信順序を規定するものである。また、送信順番は１の次に２、２の次に３、３の次に４のような昇順と、６の次に５、５の次に４、４の次に３のような降順の２つがあり、送信順番情報は、昇順または降順を規定するものである。
このように、赤外線信号のデータ部には調光度情報、送信番号情報、送信順番情報などが組み込まれている。
【００２２】
また、図８は、各蛍光灯器具が送信する時間の構成を示したものである。
送信時間帯はｔ時間に区切られ、さらに昇順送信時間帯と降順送信時間帯に分けられる。
そして、各蛍光灯器具は、信号を受信してから自身が信号を送出するまでの送信時間帯を、時間ｔを単位として、受信した赤外線信号内の送信番号と、自身の送信番号と、送信順番情報から算出する。
【００２３】
即ち、上記ｔを用いて降順、昇順のそれぞれに対し、送信時間帯は次式によって算出される。
降順の場合：
送信時間帯＝（受信した制御信号内の送信番号―自身の送信番号）×ｔ
昇順の場合：
送信時間帯＝（自身の送信番号―受信した制御信号内の送信番号）×ｔ
【００２４】
また、図９は、通路１０を通過する人２１が蛍光灯器具Ａ１１の方向から進入した場合の赤外線信号の伝送を示すタイミング図である。
図において長方形で示すブロックは赤外線信号の1フレームを示し、横軸に各々の送信番号に割り当てられた送信時間をｔ時間間隔で表している。
【００２５】
前述のようにｔ時間内は昇順送信時間帯Ｓ１と降順送信時間帯Ｓ２に分割されている。そして各々の蛍光灯器具には送信番号が割り付けられ、蛍光灯器具１１には送信番号＝１、蛍光灯器具１２には送信番号＝２、蛍光灯器具１３には送信番号＝３、蛍光灯器具１４には送信番号＝４、蛍光灯器具１５には送信番号＝５、蛍光灯器具１６には送信番＝６がそれぞれ割り付けられている。
なお、黒く塗りつぶしたブロック５０、５１、５５はそれぞれ１フレームの送信した赤外線信号（電気信号）を示しており、灰色のブロック５２、５３はそれぞれ受信した赤外線信号（電気信号）を示している。
【００２６】
また、黒の矢印２２〜２７は図６で示した赤外線信号と同じものであり、白の矢印５４は各々の蛍光灯器具内の制御部８ａまたは８ｂで受信した赤外線信号５２を、送信する赤外線信号５５に変換する時の内部信号を表している。このとき、送信番号は自身の蛍光灯器具に割り付けられた赤外線信号の送信番号に置き換えて１フレームの赤外線信号を組み立てる。
【００２７】
以上述べてきた図６〜９を参照しながら、通路１０を通過する人２１が蛍光灯器具Ａ１１側から進入した場合の照明システムの動作について説明する。
蛍光灯器具Ａ１１に搭載される人感センサ７は人２１を検知すると、制御部８ａ内のタイマ８０を動作させる同時に、図７に示したデータ部内の情報である調光度＝１００％、送信順番＝昇順、送信番号＝１として赤外線信号５０を、また調光度＝１００％、送信順番＝降順、送信番号＝１として赤外線信号５１を生成する。
【００２８】
生成された赤外線信号５０、５１は送信時間＝１ｔのそれぞれＳ１、Ｓ２の時間帯で送信される。送信された赤外線２２は床面１８で反射し、蛍光灯器具Ａ１１と隣接する蛍光灯器具Ｂ１２に到達する。蛍光灯器具Ｂ１２は、蛍光灯器具Ａ１１からの赤外線２２を受信し、赤外線信号５２、５３として制御部８ｂに取り込む。
【００２９】
赤外線信号５２、５３内の調光度は１００％となっているため、インバータ９に調光度＝１００％指令を送出する。受信した赤外線信号５２の送信番号＝１及び送信順序＝昇順、蛍光灯器具１２自身の送信番号２から、受信した次の送信時間帯２ｔに赤外線信号の出力が可能であると判断し、赤外線送信器６に受信赤外線信号５２の送信番号＝２（蛍光灯器具Ｂ１２に割り付けられた送信番号）に変更して送信赤外線信号５５を生成する。そして、赤外線送信器６は、２ｔでＳ１、即ち昇順送信時間帯で赤外線２３を送信する。
一方、もう１つの受信赤外線信号５３は送信順番＝降順であるため、送出する時間帯がなく、制御部８ｂは赤外線送信のための処理を行わない。
【００３０】
蛍光灯器具Ｂ１２からの赤外線信号２３は、隣接設置された蛍光灯器具Ｂ１３で受信され、同様な動作を経て、受信直後に赤外線信号２４を送信する。このようにして順番に赤外線信号が送信され、蛍光灯器具Ａ１６まで蛍光灯器具Ａ１１で生成された信号が到達し、蛍光灯器具Ａ１１、１６及び蛍光灯器具Ｂ１２〜１５が調光度１００％で点灯することになる。
その後、蛍光灯器具１１内制御部８ａ内のタイマ８０がタイムアップすると、図７で示した赤外線信号のデータ部の調光度情報を５％にし、同様な動作によって昇順、降順の２つの赤外線信号を生成し、赤外線信号２２として出力する。この情報は、図９で説明したように蛍光灯器具Ａ１１、蛍光灯器具Ｂ１２〜１５、蛍光灯器具Ａ１６に次々に伝達され、蛍光灯器具Ａ１１、１６及び蛍光灯器具Ｂ１２〜１５の蛍光ランプ２全てが５％で調光点灯することになる。
【００３１】
次に、赤外線信号の流れが逆向きである場合、即ち通路１０を通過する人が蛍光灯器具Ａ１６側から進入した場合の照明システムの動作について説明する。
まず、図１０は検知エリア２０内に人２１が存在している場合の本照明システムの運用を示す模式図である。
また、図１１は赤外線信号の流れが逆向きである場合の赤外線信号の伝送を示すタイムチャートである。図において黒くぬりつぶされたブロック５６、５７および６０は1フレームの送信信号（電気信号）を示し、灰色のブロック５８、５９は受信した赤外線信号（電気信号）を示す。また、黒の矢印は赤外線信号を表し、白の矢印６０は受信赤外線信号５８または５９を送信赤外線信号６１に変換する時の蛍光灯器具Ａの制御部８ａ、もしくは蛍光灯器具Ｂの制御部８ｂにおける内部信号を表している。
【００３２】
図７、１０、１１をもとに動作の詳細について説明する。
蛍光灯器具Ａ１６に搭載される人感センサ７は、人を検知すると、制御部８ａ内のタイマ８０を動作させるとともに、図７に示したデータ部内の情報である調光度＝１００％、送信順番＝昇順、送信番号＝６として赤外線信号５６を、また調光度＝１００％、送信順番＝降順、送信番号＝６として赤外線信号５７を生成する。生成された赤外線信号５６、５７は送信時間＝１ｔのそれぞれＳ１、Ｓ２の時間帯で送信される。
【００３３】
送信された赤外線信号２７は床面１８で反射し、蛍光灯器具Ａ１６と隣接する蛍光灯器具Ｂ１５に到達する。蛍光灯器具Ｂ１５は、蛍光灯器具Ａ１６からの赤外線２７を受信し、赤外線信号５８、５９として制御部８ｂに取り込む。赤外線信号５８、５９内の調光度は１００％となっているため、インバータ９に調光度＝１００％指令を送出する。受信した赤外線信号５９の送信番号＝１６及び送信順序＝降順、蛍光灯器具１５自身の送信番号５から、受信した次の送信時間帯２ｔに赤外光の出力が可能であると判断し、赤外線送信器６に受信赤外線信号５９の送信番号＝５（蛍光灯器具Ｂ１５に割り付けられた送信番号）に変更して送信赤外線信号６０を生成する。そして、赤外線送信器６は、２ｔでＳ２、即ち降順送信時間帯で赤外線２６を送信する。もう１つの受信赤外線信号５８は送信順番＝昇順であるため、送出する時間帯がなく、制御部８ｂは赤外線送信のための処理を行わない。
【００３４】
蛍光灯器具Ｂ１５からの赤外線２６は、更に隣接設置された蛍光灯器具Ｂ１４で受信され、同様に受信直後に赤外線２５を送信する。このように順番に赤外線が送信され、蛍光灯器具Ａ１１まで蛍光灯器具Ａ１６で生成された信号が到達し、蛍光灯器具Ａ１１、１６及び蛍光灯器具Ｂ１２〜１５が調光度１００％で点灯することになる。その後、蛍光灯器具１６内制御部８ａのタイマ８０がタイムアップすると、図７に示す赤外線信号のデータ部内の情報である調光度を５％として、前述のように昇順、降順の２つの赤外線信号を生成して、赤外線２７として出力する。この情報は、図９で説明したように蛍光灯器具Ａ１６、蛍光灯器具Ｂ１２〜１５、蛍光灯器具Ａ１１に次々に伝達され、蛍光灯器具Ａ１１、１６の蛍光ランプ２及び蛍光灯器具Ｂ１２〜１５の蛍光ランプ２が全て５％で調光点灯することになる。
【００３５】
このように、本発明の照明システムにおいては、通路など出入口の一方の近傍に、蛍光灯器具Ａ１１を設置し、蛍光灯器具Ａ１１、１６及び蛍光灯器具Ｂ１２〜１５に赤外線送信器６、赤外線受信器５を設け、蛍光灯器具Ａ１１に人感センサ７の出力があったときに、赤外線信号を送信し、蛍光灯器具Ｂ１２〜１５及び蛍光灯器具Ａ１６が順次赤外線を受信し、中継して赤外線信号を送信するとともにランプ２を一定の明るさで順次点灯させる。
【００３６】
一方、他方の出入口近傍に設置され、蛍光灯器具Ａ１６に人感センサ７の出力があったときに、赤外線信号を送信し、蛍光灯器具Ｂ１４〜１２及び蛍光灯器具Ａ１１が順次赤外線信号を受信し、中継して赤外線信号を送信するとともにランプ２を一定の明るさで順次点灯させる。
【００３７】
また、本発明の照明システムにおいては、通路など複数の出入り口が有る場合において、各出入口に蛍光灯器具Ａを設置し、どの出入口の人感センサが人体を検知しても、赤外線信号が最後の蛍光灯器具に伝わる時間が最短となるように送信順序を複数設定しているので、例えば、赤外線信号の送信順序を複数設定していないものに比べ、赤外線信号を伝達する一方向に遅れが生じなく、長い通路などで蛍光灯器具の台数が多い場合等でも、赤外線が最後の蛍光灯器具に伝わる時間を短くすることができる。これは、人感センサ搭載の蛍光灯器具Ａを設置位置が通路の端でなく、中央でも同様の時間短縮の効果があり、他の蛍光灯器具Ａからの赤外線信号を受信した場合は、蛍光灯器具Ｂと同様な動作となり赤外線の中継を行うものである。
【００３８】
なお、本実施の形態では、通路において人の存在を検知した時に調光度１００％、それ以外の時に調光度５％に蛍光ランプを制御しているが、人がいない場合に消灯しても良く、人が居る場合に調光しても良い。また、通路に発明の照明システムを設置した場合について説明しているが、ロッカールームなど出入口が一つの場合や、通路でも３箇所以上の出入り口があっても同様の効果が期待できる。
更に、人感センサの代わりに照度センサを搭載して照度制御をした場合においても、調光度を伝達することに変わりがなく同様の効果が得られる。また、人感センサの代わりに、スイッチや温度センサを用いても同様の効果が期待できる。
【００３９】
【発明の効果】
本発明の照明システムは、以上のように構成されているため以下に示すような効果を奏する。
【００４０】
通路など出入口の一方の近傍に、蛍光灯器具Ａ１１を設置し、蛍光灯器具Ａ１１、１６及び蛍光灯器具Ｂ１２〜１５に赤外線送信器６、赤外線受信器５を設け、蛍光灯器具Ａ１１に人感センサ７の出力があったときに、赤外線信号を送信し、蛍光灯器具Ｂ１２〜１５及び蛍光灯器具Ａ１６が順次赤外線を受信し、中継して赤外線信号を送信するとともに、ランプ２を一定の明るさで順次点灯、または調光、または消灯するようにしたため、各照明器具への信号線の配線作業を不要にすることができ、また、赤外線の衝突を防止することができる。
【００４１】
また、送信順番情報を送信番号が増加する順番情報と減少する順番情報に対応させて設定しているため、赤外線信号を円滑かつ迅速に伝達させることができる。
【図面の簡単な説明】
【図１】本発明の実施の形態１に係る照明システムの概略配置図である。
【図２】本発明の実施の形態１に係る照明システムを構成する蛍光灯器具Ａの平面図である。
【図３】本発明の実施の形態１に係る照明システムを構成する蛍光灯器具Ｂの平面図である。
【図４】本発明の実施の形態１に係る照明システムを構成する蛍光灯器具Ａのブロック図である。
【図５】本発明の実施の形態１に係る照明システムを構成する蛍光灯器具Ｂのブロック図である。
【図６】本発明の実施の形態１に係る照明システムの運用を示す模式図である。
【図７】本発明の実施の形態１に係る照明システムにおける赤外線信号の構成図である。
【図８】本発明の実施の形態１に係る照明システムにおける赤外線送信時間帯を示す説明図である。
【図９】本発明の実施の形態１に係る照明システムにおける赤外線信号の伝送タイミング図である。
【図１０】本発明の実施の形態１に係る照明システムの運用を示す模式図である。
【図１１】本発明の実施の形態１に係る照明システムにおける赤外線信号の伝送タイミング図である。
【図１２】従来の照明システムの概略配置図である。
【図１３】従来の照明システムの運用を示す模式図である。
【図１４】従来の照明システムの回路構成を示すブロック図である。
【符号の説明】
１            蛍光灯器具
２            蛍光ランプ
４ａ、４ｂ    点灯装置
５            赤外線受信器
６            赤外線送信器
７            人感センサ
８ａ、８ｂ    制御部
９            インバータ
１０          通路
１１〜１６    蛍光灯器具
１９、２０    検知エリア
２１          人
２２〜２７    赤外線
８０          タイマ
【図１】
0003813881.tif 000002
【図２】
0003813881.tif 000003
【図３】
0003813881.tif 000004
【図４】
0003813881.tif 000005
【図５】
0003813881.tif 000006
【図６】
0003813881.tif 000007
【図７】
0003813881.tif 000008
【図８】
0003813881.tif 000009
【図９】
0003813881.tif 000010
【図１０】
0003813881.tif 000011
【図１１】
0003813881.tif 000012
【図１２】
0003813881.tif 000013
【図１３】
0003813881.tif 000014
【図１４】
0003813881.tif 000015